(57)【要約】【課題】適切な物性の物体を製造することができる情報処理装置、システム、物体の製造方法、情報処理方法、及びプログラムを提供することである。【解決手段】実施形態の情報処理装置は、受付部と、生成部と、出力制御部とを備える。受付部は、物体の利用者に与えられる感覚を識別する識別情報の入力を受け付ける。生成部は、前記受付部により受け付けられた前記識別情報に基づいて、前記物体を設計するためのモデルデータを生成する。出力制御部は、前記生成部により生成された前記モデルデータを出力する。【選択図】図３
2020059278.tif 000002
【特許請求の範囲】
【請求項１】
物体の利用者に与えられる感覚を識別する識別情報の入力を受け付ける受付部と、
前記受付部により受け付けられた前記識別情報に基づいて、前記物体を設計するためのモデルデータを生成する生成部と、
前記生成部により生成された前記モデルデータを出力する出力制御部と
を備える、情報処理装置。
【請求項２】
前記生成部は、前記物体の物性を規定する形状パラメータを含む前記モデルデータを生成する、
請求項１に記載の情報処理装置。
【請求項３】
前記生成部は、前記形状パラメータとして、多角柱形状の空間を一単位とする単位格子構造を構成する複数の構造柱の数、前記構造柱の方向、前記構造柱の太さ、前記構造柱が交差する交差部の容積、前記単位格子構造の形状、及び前記単位格子構造の大きさのうち少なくとも１つを含むパラメータを決定する、
請求項２に記載の情報処理装置。
【請求項４】
前記構造柱の数及び前記構造柱の方向は、前記単位格子構造に含まれる複数の構造柱の配置パターンを示す単位格子モデルの種類により規定される、
請求項３に記載の情報処理装置。
【請求項５】
前記出力制御部は、前記モデルデータを造形装置へ出力する、
請求項１〜３のいずれか一つに記載の情報処理装置。
【請求項６】
前記受付部は、前記識別情報として、音象徴語で表現した言語情報である音象徴情報の入力を受け付け、
前記生成部は、前記音象徴情報に基づいて、前記モデルデータを生成する、
請求項１〜５のいずれか一つに記載の情報処理装置。
【請求項７】
情報処理装置と造形装置とを少なくとも備えたシステムであって、
物体の利用者に与えられる感覚を識別する識別情報の入力を受け付ける受付部と、
前記受付部により受け付けられた前記識別情報に基づいて、前記物体を設計するためのモデルデータを生成する生成部と、
前記生成部により生成された前記モデルデータに基づいて前記物体を造形する造形部と
を備える、システム。
【請求項８】
物体の利用者に与えられる感覚を識別する識別情報の入力を受け付ける受付ステップと、
前記受付ステップにより受け付けられた前記識別情報に基づいて、前記物体を設計するためのモデルデータを生成する生成ステップと、
前記モデルデータに基づいて前記物体を造形する造形ステップと
を含む、物体の製造方法。
【請求項９】
物体の利用者に与えられる感覚を識別する識別情報の入力を受け付ける受付ステップと、
前記受付ステップにより受け付けられた前記識別情報に基づいて、前記物体を設計するためのモデルデータを生成する生成ステップと、
前記生成ステップにより生成された前記モデルデータを出力する出力制御ステップと
を含む、情報処理方法。
【請求項１０】
コンピュータに、
物体の利用者に与えられる感覚を識別する識別情報の入力を受け付け、
受け付けた前記識別情報に基づいて、前記物体を設計するためのモデルデータを生成し、
生成した前記モデルデータを出力する
各処理を実行させるためのプログラム。
【発明の詳細な説明】
【技術分野】
【０００１】
本発明の実施形態は、情報処理装置、システム、物体の製造方法、情報処理方法、及びプログラムに関する。
【背景技術】
【０００２】
従来、材料（物体）には、硬い、柔らかい、フィット感がある等、様々な質感がある。材料に求められる質感は、例えば、医療用製品、建築用資材等、その用途に応じて多種多様である。このため、特定用途の材料を製造する場合、その用途に応じて様々な質感（物性）の材料を組み合わせることが行われる。
【先行技術文献】
【特許文献】
【０００３】
【特許文献１】特開２０１７−０１２７５１号公報
【特許文献２】ＷＯ２０１６／１３７８１８号
【特許文献３】ＷＯ２０１４／１００４６２号
【非特許文献】
【０００４】
【非特許文献１】永井明日香，佐久間淳：ヒト触感を最適化する低密度多孔質デザイン，バイオフロンティア講演会講演論文集，Vol.27,  C106,  (2016)
【非特許文献２】白土寛和，前野隆司：触感呈示・検出のための材質認識機構のモデル化，日本バーチャルリアリティ学会論文誌，Vol.9,  No.3,  pp235-240  (2004)
【発明の概要】
【発明が解決しようとする課題】
【０００５】
しかしながら、従来の技術においては、必ずしも適切な物性の物体が製造されているとは限らない。例えば、柔らかい物体を製造する場合、「柔らかい」という言葉から想起される感覚は、製造者ごとに異なる。このため、製造される物体の物性にはバラツキがある場合が多く、必ずしも適切な物性の物体が製造されているとは限らない。
【０００６】
本発明は、適切な物性の物体を製造することができる情報処理装置、システム、物体の製造方法、情報処理方法、及びプログラムを提供することを目的とする。
【課題を解決するための手段】
【０００７】
上述した課題を解決し、目的を達成するために、本発明は、物体の利用者に与えられる感覚を識別する識別情報の入力を受け付ける受付部と、前記受付部により受け付けられた前記識別情報に基づいて、前記物体を設計するためのモデルデータを生成する生成部と、前記生成部により生成された前記モデルデータを出力する出力制御部とを備える、情報処理装置である。
【０００８】
また、本発明は、情報処理装置と造形装置とを少なくとも備えたシステムであって、物体の利用者に与えられる感覚を識別する識別情報の入力を受け付ける受付部と、前記受付部により受け付けられた前記識別情報に基づいて、前記物体を設計するためのモデルデータを生成する生成部と、前記生成部により生成された前記モデルデータに基づいて前記物体を造形する造形部とを備える、システムである。
【０００９】
また、本発明は、物体の利用者に与えられる感覚を識別する識別情報の入力を受け付ける受付ステップと、前記受付ステップにより受け付けられた前記識別情報に基づいて、前記物体を設計するためのモデルデータを生成する生成ステップと、前記生成ステップにより生成された前記モデルデータを出力する出力制御ステップと、前記モデルデータに基づいて前記物体を造形する造形ステップとを含む、物体の製造方法である。
【００１０】
また、本発明は、物体の利用者に与えられる感覚を識別する識別情報の入力を受け付ける受付ステップと、前記受付ステップにより受け付けられた前記識別情報に基づいて、前記物体を設計するためのモデルデータを生成する生成ステップと、前記生成ステップにより生成された前記モデルデータを出力する出力制御ステップとを含む、情報処理方法である。
【００１１】
また、本発明は、コンピュータに、物体の利用者に与えられる感覚を識別する識別情報の入力を受け付け、受け付けた前記識別情報に基づいて、前記物体を設計するためのモデルデータを生成し、生成した前記モデルデータを出力する各処理を実行させるためのプログラムである。
【発明の効果】
【００１２】
本発明によれば、適切な物性の物体を製造することができる情報処理装置、システム、物体の製造方法、情報処理方法、及びプログラムを提供することができる。
【図面の簡単な説明】
【００１３】
【図１】図１は、実施形態のシステムの概略構成の一例を示す図である。
【図２】図２は、実施形態の情報処理装置のハードウェア構成の一例を示す図である。
【図３】図３は、実施形態の情報処理装置が有する機能の一例を示す図である。
【図４】図４は、実施形態の生成部で参照される関連情報の一例を示す図である。
【図５】図５は、実施形態の単位格子構造の形状及び各辺の長さについて説明するための図である。
【図６】図６は、実施形態の単位格子モデルについて説明するための図である。
【図７】図７は、実施形態の単位格子モデルの種類と荷重−変位特性の関係を示す図である。
【図８】図８は、実施形態のＬ／Ｓと荷重−変位特性の関係を示す図である。
【図９】図９は、実施形態の交差部の容積と荷重−変位特性の関係を示す図である。
【図１０】図１０は、実施形態の交差部の容積と荷重−変位特性の関係を示す図である。
【図１１】図１１は、実施形態の交差部の容積に応じた形状回復速度の違いについて説明するための図である。
【図１２】図１２は、実施形態の情報処理装置の動作例を示すフローチャートである。
【図１３】図１３は、実施形態の製造方法の一例を示すフローチャートである。
【図１４】図１４は、評価用ラティスドームを示す図である。
【図１５】図１５は、柱太さを変えた場合の感性評価用ラティスドームの荷重変異曲線を示す図である。
【図１６】図１６は、各サンプルから得られた日本語表現を示す図である。
【図１７】図１７は、日本語表現の分類項目を示す図である。
【図１８】図１８は、因子負荷および因子寄与率を示す図である。
【発明を実施するための形態】
【００１４】
以下、添付図面を参照しながら、本発明に係る情報処理装置、システム、物体の製造方法、情報処理方法、及びプログラムの実施形態を詳細に説明する。なお、以下の各実施形態は、以下の説明に限定されるものではない。また、各実施形態は、処理内容に矛盾が生じない範囲で他の実施形態や従来技術との組み合わせが可能である。
【００１５】
（実施形態）
図１は、実施形態のシステム１の概略構成の一例を示す図である。図１に示すように、実施形態のシステム１は、情報処理装置１０と、造形装置２０とを含む。図１に例示する各装置は、ＬＡＮ（Local  Area  Network）やＷＡＮ（Wide  Area  Network）等のネットワークにより、直接的、又は間接的に相互に通信可能な状態となっている。
【００１６】
情報処理装置１０は、物体を製造するためのモデルデータを生成する。モデルデータとは、物体を造形装置２０で造形する際の元となる情報である。モデルデータを生成する処理内容については後述する。そして、情報処理装置１０は、生成したモデルデータを造形装置２０へ送る。
【００１７】
なお、以下の実施形態では、物体の一例として医療用製品が製造される場合を説明する。ただし、実施形態は医療用製品に限定されるものではなく、例えば、建築用資材等、用途に応じて多種多様な物体を製造することができる。
【００１８】
造形装置２０は、情報処理装置１０から受け取ったモデルデータに基づいて、物体を造形する造形部２１を備える。本実施形態では、造形部２１は、３次元プリンタの機能を提供するハードウェア要素群で構成される。
【００１９】
例えば、造形部２１は、物体の材料となる感光性樹脂を充填するための液層（夕ンク）と、液層内の感光性樹脂を光重合反応により硬化させるためのレーザーとを有する。造形部２１は、モデルデータに基づいて規定される液層内の位置を、レーザーを用いて位置選択的に硬化させることで、モデルデータに対応する３次元構造体を造形する。
【００２０】
次に、本実施形態の情報処理装置１０について説明する。図２は、実施形態の情報処理装置１０のハードウェア構成の一例を示す図である。図２に示すように、情報処理装置１０は、ＣＰＵ（Central  Processing  Unit）１１と、ＲＯＭ（Read  Only  Memory）１２と、ＲＡＭ（Random  Access  Memory）１３と、補助記憶装置１４と、入力装置１５と、表示装置１６と、外部Ｉ／Ｆ（Interface）１７と、を備える。
【００２１】
ＣＰＵ１１は、プログラムを実行することにより、情報処理装置１０の動作を統括的に制御し、情報処理装置１０が有する各種の機能を実現するプロセッサ（処理回路）である。情報処理装置１０が有する各種の機能については後述する。
【００２２】
ＲＯＭ１２は、不揮発性のメモリであり、情報処理装置１０を起動させるためのプログラムを含む各種データ（情報処理装置１０の製造段階で書き込まれる情報）を記憶する。ＲＡＭ１３は、ＣＰＵ１１の作業領域を有する揮発性のメモリである。補助記憶装置１４は、ＣＰＵ１１が実行するプログラム等の各種データを記憶する。補助記憶装置１４は、例えばＨＤＤ（Hard  Disc  Drive）、ＳＳＤ（Solid  State  Drive）等で構成される。
【００２３】
入力装置１５は、情報処理装置１０を使用する操作者が各種の操作を行うためのデバイスである。入力装置１５は、例えばマウス、キーボード、タッチパネル又はハードウェアキーで構成される。なお、操作者は、例えば、物体を製造する製造者等に対応する。
【００２４】
表示装置１６は、各種情報を表示する。例えば、表示装置１６は、画像データやモデルデータ、操作者から各種操作を受け付けるためのＧＵＩ（Graphical  User  Interface）や、医用画像等を表示する。表示装置１６は、例えば液晶ディスプレイ、有機ＥＬ（Electro  Luminescence）ディスプレイ又はブラウン管ディスプレイで構成される。なお、例えばタッチパネルのような形態で、入力装置１５と表示装置１６とが一体に構成されても良い。
【００２５】
外部Ｉ／Ｆ１７は、造形装置３０等の外部装置と接続（通信）するためのインタフェースである。なお、図示しないが、外部Ｉ／Ｆ１７は、Ｘ線ＣＴ（Computed  Tomography）装置、ＭＲＩ（Magnetic  Resonance  Imaging）装置等の医用画像診断装置と接続されても良い。
【００２６】
図３は、実施形態の情報処理装置１０が有する機能の一例を示す図である。なお、図３の例では、本実施形態に関する機能のみを例示しているが、情報処理装置１０が有する機能はこれらに限られるものではない。図３に示すように、情報処理装置１０は、記憶部１０１、受付部１０２、生成部１０３、及び出力制御部１０４を有する。記憶部１０１は、例えば、補助記憶装置１４（例えばＨＤＤ）により実現される。受付部１０２、生成部１０３、及び出力制御部１０４は、例えば、ＣＰＵ１１により実現される。
【００２７】
記憶部１０１は、モデルデータのプリセット情報や、モデルデータの生成の際に参照されるデータベース等を記憶する。また、記憶部１０１は、医用画像診断装置により撮像された画像データ（ＤＩＣＯＭデータ）を記憶することも可能である。
【００２８】
受付部１０２は、操作者の入力を受け付ける機能を有する。例えば、受付部１０２は、操作者が入力装置１５を介して行った入力操作を受け付けて、受け付けた入力操作を電気信号へ変換して情報処理装置１０内の各部へ送る。
【００２９】
受付部１０２は、多角柱形状の空間を一単位とする単位格子構造であって、多角柱形状を形成する複数の頂点のうち２点を接続する構造柱を複数備える単位格子構造により構成される物体について、感覚を識別する識別情報の入力を受け付ける。なお、単位格子構造については後述する。
【００３０】
ここで、識別情報とは、例えば、「感覚Ａ」「感覚Ｂ」など、物体の利用により利用者に与えられる感覚を識別するための情報である。ただし、単純な識別情報とするよりも、「硬い」、「柔らかい」、「フィット感がある」等の感覚的な用語で表現した方が操作者に直感的に伝わるため好適である。以下、このような感覚的な用語で表現した情報を、「質感情報」と称する。なお、質感情報は、感覚を識別する識別情報の一例である。
【００３１】
一例としては、受付部１０２は、「硬い」、「柔らかい」、「フィット感がある」等の質感情報を表示装置１６に表示させる。操作者は、表示装置１６に表示された質感情報の中から、所望の質感情報を選択する入力を行う。受付部１０２は、操作者による入力を受け付けて、受け付けた質感情報を生成部１０３に送る。
【００３２】
なお、受付部１０２は、識別情報として、音象徴語で表現した言語情報である「音象徴情報」の入力を受け付けることも可能である。ここで、音象徴語とは、物体の状態や動きなどが音（おん）で象徴的に表された用語であり、例えば、オノマトペ、擬音語、擬態語などが含まれる。つまり、「音象徴情報」とは、例えば、「カチカチ」、「ふわふわ」等の音象徴語を表すテキスト情報である。
【００３３】
生成部１０３は、受付部１０２により受け付けられた質感情報に基づいて、物体を製造するためのモデルデータを生成する。例えば、生成部１０３は、質感情報と、物体の物性を規定する形状パラメータとが関連づけられた関連情報（テーブル）を参照することで、受付部１０２により受け付けられた質感情報に対応する形状パラメータを含むモデルデータを生成する。
【００３４】
ここで、モデルデータに基づいて製造される物体は、単位格子構造により構成される。単位格子構造とは、多角柱形状の空間を一単位とする単位格子構造であって、多角柱形状を形成する複数の頂点のうち２点を接続する構造柱を複数備える。この単位格子構造は、一単位となる空間の形状、この空間の各辺の長さ、構造柱の数、構造柱の方向、構造柱の太さ、構造柱が交差する交差部の断面形状、及び交差部の容積のうち少なくとも１つを含む形状パラメータにより規定される。
【００３５】
つまり、生成部１０３は、形状パラメータとして、単位格子構造が一単位とする空間の形状、この空間の各辺の長さ、構造柱の数、構造柱の方向、構造柱の太さ、構造柱が交差する交差部の断面形状、及び交差部の容積のうち少なくとも１つを含むパラメータを決定する。また、構造柱の数及び構造柱の方向は、単位格子構造に含まれる複数の構造柱の配置パターンを示す単位格子モデルの種類により規定される。なお、生成部１０３は、交差部の断面形状及び容積のうち少なくとも一方を含む形状パラメータを決定することが好適である。
【００３６】
そして、生成部１０３は、決定した形状パラメータを含むモデルデータを生成する。以下、図４〜図１１を用いて、生成部１０３の処理及び形状パラメータについて説明する。
【００３７】
図４は、実施形態の生成部１０３で参照される関連情報の一例を示す図である。この関連情報（テーブル）は、質感情報と、各種の形状パラメータとが関連づけられた情報である。この関連情報は、例えば、記憶部１０１に予め記憶されている。
【００３８】
図４に示すように、関連情報は、「質感情報」、「形状」、「各辺の長さ」、「モデル」、「構造柱の太さ」、及び「交差部の容積」が対応づけられた情報である。ここで、「形状」、「各辺の長さ」、「モデル」、「構造柱の太さ」、及び「交差部の容積」は、形状パラメータの一例である。各種の形状パラメータについては、図５〜図１１を用いて後述する。
【００３９】
例えば、図４の関連情報の１つ目のレコードには、質感情報「硬い」、形状「立方体形状」、各辺の長さ「Ｓ１」、モデル「モデルＣ」、構造柱の太さ「Ｗ１」、及び交差部の容積「Ｖ１」が対応づけられている。これは、「硬い」という質感が入力された場合には、形状「立方体形状」、各辺の長さ「Ｓ１」、モデル「モデルＣ」、構造柱の太さ「Ｗ１」、及び交差部の容積「Ｖ１」の形状パラメータが選択されることを意味する。また、図４には、他の質感情報についても同様に、各種の形状パラメータが対応づけて記憶されている。
【００４０】
なお、図４に示した内容はあくまで一例であり、図示の内容に限定されるものではない。例えば、図４の関連情報は、記憶部１０１に限らず、情報処理装置１０が通信可能な外部記憶装置に記憶されていても良い。例えば、ネットワーク上の外部記憶装置に関連情報が記憶されている場合、生成部１０３は、ネットワーク上の外部記憶装置に記憶された関連情報を参照することができる。
【００４１】
また、例えば、識別情報として「音象徴情報」の入力を受け付ける場合には、関連情報には、音象徴情報と、各種の形状パラメータとが関連づけられる。例えば、関連情報には、音象徴情報「カチカチ」、形状「立方体形状」、各辺の長さ「Ｓ１」、モデル「モデルＣ」、構造柱の太さ「Ｗ１」、及び交差部の容積「Ｖ１」が対応づけられる。これは、「カチカチ」という音象徴語が入力された場合には、形状「立方体形状」、各辺の長さ「Ｓ１」、モデル「モデルＣ」、構造柱の太さ「Ｗ１」、及び交差部の容積「Ｖ１」の形状パラメータが選択されることを意味する。
【００４２】
以下、図５〜図１１を用いて、形状、各辺の長さ、モデル、構造柱の太さ、及び交差部の容積の各種の形状パラメータについて説明する。
【００４３】
まず、図４の「形状」及び「各辺の長さ」について説明する。「形状」は、単位格子構造の形状である。「各辺の長さ」は、単位格子構造の大きさ（一辺の長さ）に対応する。
【００４４】
図５は、実施形態の単位格子構造の形状及び各辺の長さについて説明するための図である。図５に示すように、「形状」は、６つの正方形の面により構成される立方体形状に対応する。この立方体形状の空間は、頂点に対応する８つの点Ｐ１〜点Ｐ８を有する。また、図５の例では、この空間は立方体形状であるため、何れの辺の長さも等しい。図５の空間の各辺の長さは、例えば、点Ｐ１と点Ｐ２との距離で表される。
【００４５】
ここで、単位格子構造における線及び面の表記方法について説明する。本実施形態では、線及び面を表記する場合、その線又は面を構成する頂点を括弧書きで示す。例えば、「線（Ｐ１，Ｐ２）」という表記は、点Ｐ１と点Ｐ２とを結ぶ線を表す。また、「線（Ｐ１，Ｐ７）」という表記は、点Ｐ１と点Ｐ７とを結ぶ線（対角線）を表す。また、「面（Ｐ１，Ｐ２，Ｐ３，Ｐ４）」という表記は、点Ｐ１、点Ｐ２、点Ｐ３、及び点Ｐ４を頂点とする面（底面）を表す。なお、構造柱は、線の表記方法と同様に表記する。
【００４６】
実施形態に係る単位格子構造は、複数の点Ｐ１〜点Ｐ８のうち２点を接続する構造柱を複数備える。つまり、図２の空間形状は、単位格子構造の形状に対応する。構造柱の数及び方向（配置方向）については、例えば、単位格子モデルにより予め規定されている。
【００４７】
なお、図５に示した内容はあくまで一例であり、図示の内容に限定されるものではない。例えば、図５に示した立方体形状の空間はあくまで一例であり、単位格子構造が一単位とする空間形状は、多角柱形状であっても良い。この場合、単位格子構造は、例えば、三角柱形状、四角柱形状、及び六角柱形状のうちいずれか１つの形状の空間を一単位とすることが好適である。三角柱形状としては正三角柱形状が好適である。また、四角柱形状としては上述した立方体形状以外に直方体形状が好適である。また、六角柱形状としては正六角柱形状が好適である。また、構造柱は、多角柱形状又は円柱形状等の柱状である。また、構造柱の短手方向とは、構造柱の軸方向に直交する方向である。
【００４８】
次に、図６の「モデル」について説明する。モデルとは、単位格子構造の基本的な骨格形状を示す単位格子モデルである。
【００４９】
図６は、実施形態の単位格子モデルについて説明するための図である。図６において、破線は、一単位に相当する立方体形状の空間（図５の空間）を示す。また、実線は、構造柱の存在を示す。なお、図６に例示の単位格子モデルは、その配置方向が図６の鉛直下方向に物体にかかる荷重方向と一致するように配置されるのが好適である。なお、物体にかかる荷重方向とは人体の各部位から受けた荷重が加わる方向である。
【００５０】
図６に示すように、例えば、単位格子モデルは、モデルＡ、モデルＢ、モデルＣ、モデルＤ、及びモデルＥを含む。ここで、モデルＡ、モデルＢ、及びモデルＣは、立方体形状の空間の中心に構造柱の交差部を有する。また、モデルＤ及びモデルＥは、立方体形状を構成する複数の面のうち少なくとも１つの面の中心に構造柱の交差部を有する。
【００５１】
モデルＡは、立方体形状の対角線に沿って配置される４本の構造柱を備える単位格子モデルである。具体的には、モデルＡは、構造柱（Ｐ１，Ｐ７）、構造柱（Ｐ２，Ｐ８）、構造柱（Ｐ３，Ｐ５）、及び構造柱（Ｐ４，Ｐ６）を有する。
【００５２】
モデルＢは、モデルＡと同様の４本の構造柱に加えて、立方体形状を構成する底面及び上面を囲む複数の辺に沿って配置される８本の構造柱を更に備える単位格子モデルである。具体的には、モデルＢは、モデルＡが有する４本の構造柱を有する。更に、モデルＢは、底面（Ｐ１，Ｐ２，Ｐ３，Ｐ４）を囲む４本の構造柱（Ｐ１，Ｐ２）、構造柱（Ｐ２，Ｐ３）、構造柱（Ｐ３，Ｐ４）、及び構造柱（Ｐ４，Ｐ１）を有する。また、モデルＢは、上面（Ｐ５，Ｐ６，Ｐ７，Ｐ８）を囲む４本の構造柱（Ｐ５，Ｐ６）、構造柱（Ｐ６，Ｐ７）、構造柱（Ｐ７，Ｐ８）、及び構造柱（Ｐ８，Ｐ５）を有する。
【００５３】
モデルＣは、モデルＢと同様の１２本の構造柱に加えて、荷重方向に沿って配置される４本の構造柱を更に備える単位格子モデルである。具体的には、モデルＣは、モデルＢが有する１２本の構造柱を有する。更に、モデルＣは、物体にかかる荷重方向に沿って配置される４本の構造柱（Ｐ１，Ｐ５）、構造柱（Ｐ２，Ｐ６）、構造柱（Ｐ３，Ｐ７）、及び構造柱（Ｐ４，Ｐ８）を有する。
【００５４】
つまり、モデルＢとモデルＣとの差異は、荷重方向に沿って配置される４本の構造柱（Ｐ１，Ｐ５）、構造柱（Ｐ２，Ｐ６）、構造柱（Ｐ３，Ｐ７）、及び構造柱（Ｐ４，Ｐ８）を有するか否かである。
【００５５】
モデルＤは、６つの面それぞれの対角線に沿って配置される１２本の構造柱を備える単位格子モデルである。具体的には、モデルＤは、底面（Ｐ１，Ｐ２，Ｐ３，Ｐ４）の対角線に沿った２本の構造柱（Ｐ１，Ｐ３）及び構造柱（Ｐ２，Ｐ４）を有する。また、モデルＤは、上面（Ｐ５，Ｐ６，Ｐ７，Ｐ８）の対角線に沿った２本の構造柱（Ｐ５，Ｐ７）及び構造柱（Ｐ６，Ｐ８）を有する。また、モデルＤは、側面（Ｐ１，Ｐ２，Ｐ５，Ｐ６）の対角線に沿った２本の構造柱（Ｐ１，Ｐ６）及び構造柱（Ｐ２，Ｐ５）を有する。また、モデルＤは、側面（Ｐ２，Ｐ３，Ｐ６，Ｐ７）の対角線に沿った２本の構造柱（Ｐ２，Ｐ７）及び構造柱（Ｐ３，Ｐ６）を有する。また、モデルＤは、側面（Ｐ３，Ｐ４，Ｐ７，Ｐ８）の対角線に沿った２本の構造柱（Ｐ３，Ｐ８）及び構造柱（Ｐ４，Ｐ７）を有する。また、モデルＤは、側面（Ｐ１，Ｐ４，Ｐ５，Ｐ８）の対角線に沿った２本の構造柱（Ｐ１，Ｐ８）及び構造柱（Ｐ４，Ｐ５）を有する。
【００５６】
モデルＥは、モデルＤと比較して底面及び上面の対角線に沿った構造柱を備えず、底面及び上面を囲む複数の辺に沿って配置される８本の構造柱を更に備える単位格子モデルである。具体的には、モデルＥは、側面（Ｐ１，Ｐ２，Ｐ５，Ｐ６）の対角線に沿った２本の構造柱（Ｐ１，Ｐ６）及び構造柱（Ｐ２，Ｐ５）を有する。また、モデルＥは、側面（Ｐ２，Ｐ３，Ｐ６，Ｐ７）の対角線に沿った２本の構造柱（Ｐ２，Ｐ７）及び構造柱（Ｐ３，Ｐ６）を有する。また、モデルＥは、側面（Ｐ３，Ｐ４，Ｐ７，Ｐ８）の対角線に沿った２本の構造柱（Ｐ３，Ｐ８）及び構造柱（Ｐ４，Ｐ７）を有する。また、モデルＥは、側面（Ｐ１，Ｐ４，Ｐ５，Ｐ８）の対角線に沿った２本の構造柱（Ｐ１，Ｐ８）及び構造柱（Ｐ４，Ｐ５）を有する。また、モデルＥは、底面（Ｐ１，Ｐ２，Ｐ３，Ｐ４）を囲む４本の構造柱（Ｐ１，Ｐ２）、構造柱（Ｐ２，Ｐ３）、構造柱（Ｐ３，Ｐ４）、及び構造柱（Ｐ４，Ｐ１）を有する。また、モデルＥは、上面（Ｐ５，Ｐ６，Ｐ７，Ｐ８）を囲む４本の構造柱（Ｐ５，Ｐ６）、構造柱（Ｐ６，Ｐ７）、構造柱（Ｐ７，Ｐ８）、及び構造柱（Ｐ８，Ｐ５）を有する。
【００５７】
つまり、モデルＤ及びモデルＥの差異は、底面及び上面に配置された構造柱の有無である。具体的には、底面及び上面の対角線に沿った４本の構造柱（Ｐ１，Ｐ３）、構造柱（Ｐ２，Ｐ４）、構造柱（Ｐ５，Ｐ７）、及び構造柱（Ｐ６，Ｐ８）を有するのが、モデルＤである。また、底面及び上面を囲む８本の構造柱（Ｐ１，Ｐ２）、構造柱（Ｐ２，Ｐ３）、構造柱（Ｐ３，Ｐ４）、構造柱（Ｐ４，Ｐ１）、構造柱（Ｐ５，Ｐ６）、構造柱（Ｐ６，Ｐ７）、構造柱（Ｐ７，Ｐ８）、及び構造柱（Ｐ８，Ｐ５）を有するのが、モデルＥである。
【００５８】
なお、図６では、モデルＤ及びモデルＥの構造柱を２種類の太さの実線によって図示したが、これは実際の構造柱の太さを示すものではなく、図示の明瞭化を意図したものである。つまり、太い方の実線は、立方体形状の空間を箱に見立てた場合に、「箱の手前側に見える面」に含まれる構造柱を示す。また、細い方の実線は、立方体形状の空間を箱に見立てた場合に、「箱の奥側に見える面」にのみ含まれる構造柱を示す。なお、「箱の手前側に見える面」とは、上面（Ｐ５，Ｐ６，Ｐ７，Ｐ８）、側面（Ｐ１，Ｐ２，Ｐ５，Ｐ６）、及び側面（Ｐ１，Ｐ４，Ｐ５，Ｐ８）である。また、「箱の奥側に見える面」とは、底面（Ｐ１，Ｐ２，Ｐ３，Ｐ４）、側面（Ｐ２，Ｐ３，Ｐ６，Ｐ７）、及び側面（Ｐ３，Ｐ４，Ｐ７，Ｐ８）である。
【００５９】
つまり、本実施形態の物体は、複数の単位格子モデルが繰り返し連続して配列された構造である。具体的には、物体は、複数の単位格子構造が同一平面上に配列された層を少なくとも１つ有し、この層が積層されて構成される。なお、構造柱の断面形状は、四角形、五角形、六角形等の多角形、円形、楕円形等、任意の形状が適用可能である。
【００６０】
なお、図６に示した内容はあくまで一例であり、図示の内容に限定されるものではない。例えば、図６に示したモデルはあくまで一例であり、単位格子モデルは任意の位置に構造柱を備えていても良い。ただし、単位格子構造は、多角柱形状の空間を構成する全ての頂点をいずれかの構造柱が通るように、複数の構造柱を備えるのが好適である。
【００６１】
また、単位格子構造は、立方体形状の空間の中心に構造柱の交差部を有する構造、及び、立方体形状を構成する複数の面のうち少なくとも１つの面の中心に構造柱の交差部を有する構造に限定されるものではない。ただし、単位格子構造は、複数の頂点とは異なる位置で少なくとも２つの構造柱が交差する交差部を有するのが好適である。
【００６２】
図７は、実施形態の単位格子モデルの種類と荷重−変位特性の関係を示す図である。ここで、荷重−変位特性とは、物体に印加された荷重［Ｎ］と、その荷重による物体の変位［ｍｍ］との関係を表したものであり、物体の硬度や密着性を表す物理的指標として利用される。本実施形態では、荷重−変位特性は、単位格子構造により構成された物体に対して荷重を印加することにより計測される。荷重−変位特性のグラフにおいて、グラフの縦軸は荷重［Ｎ］に対応し、グラフの横軸は変位［ｍｍ］に対応する。つまり、荷重−変位特性のグラフでは、硬い物体ほど急峻なグラフが得られ、柔らかい物体ほど緩やかなグラフが得られる。なお、通常、グラフは曲線として得られる場合が多いが、以下の各図では説明の簡素化のため直線で示す。
【００６３】
図７では、図６に示したモデルＡ、モデルＢ、及びモデルＣの単位格子モデルにより構成された物体の荷重−変位特性を用いて説明する。なお、図７において、モデルＡ、モデルＢ、及びモデルＣの構造柱の太さ及び交差部の容積は一定である。
【００６４】
図７に示す荷重−変位特性から、各モデルに含まれる構造柱の数が多いほど、物体が硬くなる傾向が認められる。また、図７に示す荷重−変位特性から、構造柱の方向が荷重方向に近いほど、物体が硬くなる傾向が認められる。このため、任意の単位格子モデルを設定することで、任意の物性を有する物体を製造することができる。
【００６５】
次に、図４の「構造柱の太さ」について説明する。構造柱の太さとは、単位格子モデルにおける各構造柱の太さであり、例えば、構造柱の太さ（Ｌ）と、単位空間の一辺の長さ（Ｓ）との比率により表される。
【００６６】
図８は、実施形態のＬ／Ｓと荷重−変位特性の関係を示す図である。図８では、図６のモデルＡにおいて、異なる太さの構造柱を有する物体の荷重−変位特性を用いて説明する。なお、図８において、各物体の交差部の容積は一定である。
【００６７】
また、図８では、構造柱の太さの一例として、構造柱の太さ（Ｌ）と、単位空間の一辺の長さ（Ｓ）との比率が異なる場合を説明する。図８の例では、「Ｌ／Ｓ：１／３」が最も構造柱が太い場合に対応し、「Ｌ／Ｓ：１／５」及び「Ｌ／Ｓ：１／８」が順に構造柱がより細い場合に対応する。なお、構造柱の太さは、例えば、構造柱の短手方向の断面において、重心を通る直線の中で、最も長い直線の長さとすることができる。
【００６８】
図８に示す荷重−変位特性から、Ｌ／Ｓが大きい（太い）ほど、物体が硬くなる傾向が認められる。また、Ｌ／Ｓが小さい（細い）ほど、物体が柔らかくなる傾向が認められる。このため、任意の太さの構造柱を設定することで、任意の物性を有する物体を製造することができる。
【００６９】
次に、図４の「交差部の容積」について説明する。交差部の容積とは、単位空間において少なくとも２つの構造柱が交差する部位（交差部）の容積である。
【００７０】
図９は、実施形態の単位格子構造における交差部の容積と荷重−変位特性の関係を示す図である。図９には、荷重印加時において、交差部の容積と荷重−変位特性の関係を例示する。図９では、図６のモデルＡにおいて、異なる容積の交差部を有する物体の荷重−変位特性を用いて説明する。図９において、各物体の構造柱の太さ（Ｌ）は一定である。なお、図９に示す荷重印加時の荷重−変位特性においては、荷重に応じた変位を表すグラフ上の点（位置）が、グラフ中の矢印の方向に向かって移動することとなる。
【００７１】
図９に示す荷重−変位特性において、交差部の容積が大きい場合には、グラフに変曲点Ｐ１１が認められる。つまり、交差部の容積が大きい物体は、荷重を印加していった場合に、原点Ｏから変曲点Ｐ１１までの間では硬い物質のように振る舞い、変曲点Ｐ１１以降には柔らかい物質のように振る舞う。この荷重−変位特性における物性の変化（グラフの傾きの変化）は、利用者が物体に荷重を印加したときの密着性として感じられる。また、交差部の容積が中程度の物体は、柔らかい物体と同様に振る舞う。このため、任意の容積の交差部を設定することで、任意の物性を有する物体を製造することができる。
【００７２】
図１０は、実施形態の交差部の容積と荷重−変位特性の関係を示す図である。図１０には、荷重解放時において、交差部の容積と荷重−変位特性の関係を例示する。図１０では、図６のモデルＡにおいて、異なる容積の交差部を有する物体の荷重−変位特性を用いて説明する。図１０において、各物体の構造柱の太さ（Ｌ）は一定である。なお、図１０に示す荷重解放時の荷重−変位特性においては、荷重に応じた変位を表すグラフ上の点（位置）が、グラフ中の矢印の方向に向かって移動することとなる。また、図１０に示す破線のグラフは、荷重印加時のグラフに対応する。
【００７３】
図１０に示す荷重−変位特性において、交差部の容積が大きい場合には、形状回復速度が速く、比較的線形に近い傾斜が得られる。つまり、交差部の容積が大きい物体は、荷重を解放していった場合の変位の戻りが速い。この物性は、利用者が物体から荷重を解放したときの密着性として感じられる。一方、図１０に示す荷重−変位特性において、交差部の容積が小さい場合には、形状回復速度が遅く、変曲点Ｐ１２が認められる。つまり、交差部の容積が小さい物体は、荷重を解放していった場合に、変曲点Ｐ１２までは変位の変化量が小さく、変曲点Ｐ１２から原点Ｏまでの間で形状が元に戻る。このため、任意の容積の交差部を設定することで、任意の物性を有する物体を製造することができる。
【００７４】
図１１は、実施形態の交差部の容積に応じた形状回復速度の違いについて説明するための図である。図１１では、図６のモデルＡにおける単位格子構造の上面から底面に向けて加重を印加した場合において、交差部の容積に応じた形状回復速度の違いについて説明する。図１１には、荷重印加時から荷重解放時に移行したときの交差部の形状の変化と、その変化における形状回復速度の速さを示す。図１１の上段には交差部の容積が大きい場合を示し、中段には交差部の容積が中程度の場合を示し、下段には交差部の容積が小さい場合を示す。なお、形状回復速度を示す矢印の長さは、形状回復速度の速さに対応する。
【００７５】
図１１において、交差部の形状について説明する。特段容積の調整を行わない場合には、交差部は、図１１の中段（荷重解放時）に示すような形状となる。本実施形態では、この形状を、交差部の容積が中程度である状態として説明する。
【００７６】
交差部の容積が大きい場合には、交差部は、図１１の上段（荷重解放時）に示すように、交差部を略中心とする球形状又は多面体形状を有する。つまり、交差部は、複数の構造柱を単に交差させた状態と比較して積極的に隆起した形状を有する。この場合、交差部は、構造柱の短手方向の断面より大きい断面を有する。具体的には、交差部の断面の面積は、構造柱の短手方向の断面と比較して１．１倍以上２０倍以下の断面であることが好適であり、１．２倍以上１０倍以下の面積であることがより好適であり、特に１．５倍以上５倍以下の面積であることがより好適である。なお、ここで交差部の断面の面積は、交差部の重心を通る面の中で、面積が最大となる面を基準とする。
【００７７】
一方、交差部の容積が小さい場合には、交差部は、図１１の下段（荷重解放時）に示すように、交差部付近の構造柱を細くした形状を有する。この場合、交差部は、構造柱の短手方向の断面より小さい断面を有する。具体的には、交差部の断面の面積は、構造柱の短手方向の断面と比較して０．０５倍以上０．９倍以下の断面であることが好適であり、０．１倍以上０．８倍以下の面積であることがより好適であり、特に０．２倍以上０．７倍以下の面積であることが特に好適である。なお、ここで交差部の断面の面積は、交差部の重心を通る面の中で、面積が最大となる面を基準とする。
【００７８】
ここで、図１１に示すように、荷重印加時には、形状を回復するためのエネルギーが交差部に蓄積されると考えられる。例えば、図１１の上側から下側へ向けて荷重が印加された場合には、交差部の領域Ｒ１３の両側にある２本の構造柱が押し広げられる結果、これを元に戻すための復元力が領域Ｒ１３に蓄積される。また、交差部の領域Ｒ１４の両側にある２本の構造柱が狭められる結果、これを元に戻すための反発力が領域Ｒ１４に蓄積される。
【００７９】
交差部の容積が大きい場合には、復元力及び反発力は大きなエネルギーとして蓄積される。このため、領域Ｒ１１の復元力は領域Ｒ１３の復元力よりも大きく、領域Ｒ１２の反発力は領域Ｒ１４の反発力よりも大きくなる。この結果、交差部の容積が大きいほど形状回復速度が速くなると考えられる。
【００８０】
また、交差部の容積が小さい場合には、復元力及び反発力は小さなエネルギーとして蓄積される。このため、領域Ｒ１５の復元力は領域Ｒ１３の復元力よりも小さく、領域Ｒ１６の反発力は領域Ｒ１４の反発力よりも小さくなる。この結果、交差部の容積が小さいほど形状回復速度が遅くなると考えられる。
【００８１】
このように、任意の形状パラメータを有する単位格子構造により物体を構成することで、任意の物性を有する物体を製造することができる。
【００８２】
なお、図５〜図１１に示した内容はあくまで一例であり、図示の内容に限定されるものではない。例えば、図１１では、交差部の容積を３段階で示したが、３段階に限定されるものではなく、所望の容積になるように製造可能である。
【００８３】
このように、図４の関連情報は、図７〜１１にて説明した各種の形状パラメータと荷重−変位特性との関連に基づいて予め設定されている。そして、生成部１０３は、図４の関連情報を参照することで、受付部１０２により受け付けられた質感情報に基づいて、形状パラメータを決定する。
【００８４】
出力制御部１０４は、各種情報を出力する機能を有する。例えば、出力制御部１０４は、操作者により指定された画像データを表示装置１６に表示させる。また、出力制御部１０４は、操作者により指定された情報を外部Ｉ／Ｆ１７を経由して外部装置に送る。
【００８５】
例えば、出力制御部１０４は、生成部１０３により生成されたモデルデータを出力する。具体的には、出力制御部１０４は、モデルデータを記憶部１０１に格納する。また、出力制御部１０４は、モデルデータを表示装置１６に表示させる。また、出力制御部１０４は、モデルデータを造形装置２０へ出力する。
【００８６】
図１２は、実施形態の情報処理装置１０の動作例を示すフローチャートである。なお、各ステップの具体的な内容は上述した通りであるので、詳細な説明は適宜省略する。
【００８７】
図１２に示すように、受付部１０２は、質感情報の入力を受け付ける（ステップＳ１０１）。そして、生成部１０３は、質感情報に基づいて、形状パラメータを決定する（ステップＳ１０２）。そして、生成部１０３は、形状パラメータを含むモデルデータを生成する（ステップＳ１０３）。そして、出力制御部１０４は、モデルデータを出力させ（ステップＳ１０４）、処理を終了する。
【００８８】
なお、図１２に示した処理手順はあくまで一例であり、図示の内容に限定されるものではない。例えば、処理内容に矛盾が生じない範囲で、他の処理手順を追加（挿入）したり、各処理の順番を入れ替えたりすることができる。
【００８９】
上述してきたように、本実施形態の情報処理装置１０は、単位格子構造により構成される物体について、物体の利用者に与えられる感覚を識別する識別情報の入力を受け付ける。そして、情報処理装置１０は、交差部の断面形状及び容積のうち少なくとも一方を含む形状パラメータと、識別情報とが関連づけられた関連情報を参照することで、受け付けた識別情報に対応する形状パラメータを含むモデルデータを生成する。情報処理装置１０は、生成したモデルデータを出力する。これによれば、本実施形態の情報処理装置１０は、適切な物性の物体を製造することを可能とする。
【００９０】
例えば、本実施形態の情報処理装置１０では、各種の形状パラメータにより規定される物性が、操作者が直感的に把握しやすいように感覚的な用語で表現される。このため、情報処理装置１０では、操作者が直感的に想起する用語で物体の物性を入力することができるので、適切な物性を容易に指定することが可能となる。
【００９１】
（その他の実施形態）
上述した実施形態以外にも、種々の異なる形態にて実施されてもよい。
【００９２】
（物体の製造方法）
実施形態の造形装置２０は、以下の製造方法により物体を製造することができる。
【００９３】
例えば、造形装置２０は、材料押出方式、液槽光重合方式、粉末焼結積層方式等の各種付加造形技術（３次元造形技術）により、物体を造形（成形）することができる。
【００９４】
図１３は、実施形態の製造方法の一例を示すフローチャートである。図１３に例示の製造方法は、液槽光重合方式による３次元造形技術を実行可能な造形装置２０により実行される。造形装置２０（造形部２１）は、物体の材料となる感光性樹脂を充填するための液槽（タンク）と、液槽内の感光性樹脂を光重合反応により位置選択的に硬化させるためのレーザーとを有する。なお、造形装置２０としては、公知の造形装置が任意に適用可能である。
【００９５】
図１３に示すように、造形部２１は、モデルデータを読み出す（ステップＳ２０１）。このモデルデータは、造形装置２０で造形する際の元となる情報である。モデルデータは、例えば、製造者により予め作成され、造形装置が有する記憶装置に予め記憶されている。なお、記憶装置は、例えば、ＨＤＤ（Hard  Disc  Drive）、ＳＳＤ（Solid  State  Drive）等に対応する。
【００９６】
続いて、造形部２１は、指定された感光性樹脂をタンクに充填する（ステップＳ２０２）。ここで、感光性樹脂は、モデルデータにより予め指定されていても良いし、造形方法が実行される毎に操作者により指定されても良い。
【００９７】
そして、造形部２１は、モデルデータに基づいて規定されるタンク内の各位置を、レーザーを用いて位置選択的に硬化させる（ステップＳ２０３）。例えば、造形部２１は、モデルデータにおいて構造柱が存在する位置に対応するタンク内の位置に対してレーザーを順次照射する。つまり、造形部２１は、物体の各領域それぞれの単位格子構造に応じたタンク内の位置を順次硬化させる。これにより、造形部２１は、適切な物性の物体を製造することができる。
【００９８】
なお、物体の材料としては、造形技術に利用可能な材料であれば任意の材料を適用可能であり、例えば、付加製造技術により造形可能な任意の感光性樹脂が適宜選択可能である。
【００９９】
（システム１による物体の製造方法）
上述してきたように、実施形態のシステム１は、情報処理装置１０及び造形装置２０を備える。つまり、システム１は、情報処理装置１０及び造形装置２０の機能により、物体を製造することができる。
【０１００】
すなわち、システム１において、情報処理装置１０は、物体の利用者に与えられる感覚を識別する識別情報の入力を受け付ける。そして、情報処理装置１０は、受け付けた識別情報に基づいて、物体を設計するためのモデルデータを生成する。そして、システム１において、造形装置２０は、モデルデータに基づいて物体を造形する。
【０１０１】
例えば、システム１において、情報処理装置１０は、図１２に示したステップＳ１０１〜ステップＳ１０３の処理によりモデルデータを生成する。そして、情報処理装置１０は、ステップＳ１０４の処理によりモデルデータを造形装置２０に送る。例えば、情報処理装置１０の出力制御部１０４は、モデルデータを造形装置２０にて利用可能なデータ形式に変換し、変換後のモデルデータを造形装置２０に送る。
【０１０２】
そして、システム１において、造形装置２０は、図１３に示したステップＳ２０１〜ステップＳ２０３の処理により、情報処理装置１０から受け付けたモデルデータに基づいて、物体を造形する。
【０１０３】
これによれば、システム１は、適切な物性の物体を製造することができる。なお、情報処理装置１０及び造形装置２０が有する各処理部は、いずれの装置に備えられても良い。例えば、造形装置２０が生成部１０３を備える場合には、造形装置２０が識別情報に基づいてモデルデータを生成しても良い。この場合、情報処理装置１０の出力制御部１０４は、受付部１０２により受け付けられた識別情報を、造形装置２０に送ることとなる。
【０１０４】
（荷重方向）
上記の実施形態では、例えば図１１に示すように荷重方向が図中の鉛直下方向に対応する場合を説明したが、実施形態はこれに限定されるものではない。例えば、物体内での単位格子構造の方向は、製造者の任意により適宜設定可能である。例えば、利用者の身体の一部と物体との接点における法線方向を荷重方向として定義してもよい。この場合、図６の単位格子構造は、図中の鉛直下方向が人体との接点における法線方向に対応するように配列される。
【０１０５】
以上説明した実施形態によれば、適切な物性の物体を製造することができる情報処理装置、システム、情報処理方法、及びプログラムを提供することができる。
【０１０６】
上述の実施形態は、以上の変形例と任意に組み合わせることができるし、以上の変形例同士を任意に組み合わせても良い。
【０１０７】
また、上述した実施形態の情報処理装置１０，４０で実行されるプログラムは、インストール可能な形式または実行可能な形式のファイルでＣＤ−ＲＯＭ、フレキシブルディスク（ＦＤ）、ＣＤ−Ｒ、ＤＶＤ、ＵＳＢ（Ｕｎｉｖｅｒｓａｌ  Ｓｅｒｉａｌ  Ｂｕｓ）等のコンピュータで読み取り可能な記録媒体に記録して提供するように構成しても良いし、インターネット等のネットワーク経由で提供または配布するように構成しても良い。また、各種プログラムを、例えばＲＯＭ等の不揮発性の記憶媒体に予め組み込んで提供するように構成しても良い。
【０１０８】
［実施例］
以下に、本発明を実施例に基づき、さらに詳細に説明するが、本発明はそれらに限定されるものではない。
【０１０９】
（ラティスドーム構造体の作製と評価）
図１４及び図１５を用いて、ラティスドーム構造体の作製と評価について説明する。図１４は、評価用ラティスドームを示す図である。また、図１５は、柱太さを変えた場合の感性評価用ラティスドームの荷重変異曲線を示す図である。なお、以下の説明において、単位格子構造を組み合わせて作成された物体を「構造体」と表記する。
【０１１０】
上述した実施形態にて説明した単位格子構造（以下、「ラティス構造」とも表記）と、人間の感性との間の相関を見るための評価サンプルを作製した。触感の定量化に向けた、変形特性の定量化については、近年ではHertsの弾性接触理論を柔軟材料に拡張し、半球形状の押込みによって変形を定量化する試みが行われている（非特許文献１：永井明日香，佐久間淳：ヒト触感を最適化する低密度多孔質デザイン，バイオフロンティア講演会講演論文集，Vol.27,  C106,  (2016)）。また、既報の手での材料触感に関する研究では、潜在因子として、「凹凸」「冷たさ」「湿り気」「硬さ」などを指標として解析した事例（非特許文献２：白土寛和，前野隆司：触感呈示・検出のための材質認識機構のモデル化，日本バーチャルリアリティ学会論文誌，Vol.9,  No.3,  pp235-240  (2004)）があるため、本報では特にドーム形状のサンプルを押し込んだ時の「硬さ」に注目した解析を実施した。
【０１１１】
図６に示したモデルＡの単位格子（５ｍｍ×５ｍｍ×５ｍｍ）を、直径４ｃｍ、高さ１．５ｃｍのドーム形状に対して割当てた３次元構造体をデザインした（図１４）。立方体型の単位格子を組み合わせて、ドーム型構造体を作ることは難しいため、３ＤＣＡＤ上でドーム形状より外形の大きいラティスキューブ（ラティス構造を組み合わせてなる立方体の構造体）と、ラティスキューブと同じ大きさの立方体を用意し、ブーリアン演算を行うことでラティス空隙部分の形状を用意し、次に空隙部分をドーム形状からブーリアン演算で除去することによって、ドーム形状にラティスの付与を行った。ラティスドームをＳＴＬ形式で出力し、Ｃａｒｂｏｎ社製ＣＬＩＰ造形機Ｍ２にて光硬化性ウレタンエラストマＥＰＵ４０（Ｃａｒｂｏｎ社製）を用いて造形を行った。感性指標である「硬さ」を変えるため、単位格子の柱太さを０．５ｍｍ、０．６ｍｍ、０．７５ｍｍ、１ｍｍ、１．２５ｍｍの５水準で変量し、５種の触感サンプルを造形した。また、各サンプルの押し込み時の応力歪み曲線を精密万能試験機（インストロン５９６７）で評価した結果を図１５に示す。図１５に示す結果から、単位格子の柱太さに応じて異なる「硬さ」を発現できたと言える。
【０１１２】
（「硬さ」と感性の関係）
図１６〜図１８を用いて、「硬さ」と感性の関係について説明する。図１６は、上記の「ラティスドーム構造体の作製と評価」にて作成した各サンプルから得られた日本語表現を示す図である。また、図１７は、日本語表現の分類項目を示す図である。また、図１８は、因子負荷および因子寄与率を示す図である。なお、図１６に記載の「基準サンプル」とは、各サンプルから被験者が感じた印象を日本語（音象徴語）で表現する際に基準としたサンプルであることを示す。
【０１１３】
「硬さ」の相対値と比較し、各被験者によって記述された感触の日本語表現（感性）に関しても解析を実施した。今回のアンケートでは自由記述形式を用いたため、図１６にあるように千差万別な表現が混ざった。そのため図１７に示すように項目分類を行い、分類に対するブール値（０／１ラベル）を付与した。その後、アンケートで得た「硬さ（標準化済）」と図１７に示す１３種の日本語表現を用い、統計言語Ｒを用いて因子分析を実施した。固有値プロットを行ったところ、因子数９で固有値１を下回るため、１４→９に因子数を設定し、因子分析を実施した。ｐｒｏｍａｘ回転後の因子負荷・因子寄与率を図１８に示す。図１８のＦａｃｔｏｒ２を見ると、「硬さ」の因子負荷量が０．８８、「か行」の因子負荷量は０．８４と、これら２つの評価軸と非常に強い正の相関を持つことが示唆される。また、「さ行」の因子負荷量は−０．４２とやや弱いが負の相関を示すことが示唆される。同様にＦａｃｔｏｒ９は「硬さ」の因子負荷が０．８０、「い」の因子負荷が０．４５と正の相関を持つことが示唆される。この結果から、被験者が日本語で感触を表現するとき、か行といの音は「硬さ」と正の相関を持ち、さ行は負の相関を持つ可能性が示された。一方で、図１６〜図１８で実施した日本語表現の因子解析結果からは、Ｆａｃｔｏｒ１からＦａｃｔｏｒ９までの累積寄与率が０．８である一方、硬さと相関の強いＦａｃｔｏｒ２とＦａｃｔｏｒ９の寄与率の合計は０．２となった。この結果は、被験者の日本語表現（音象徴語）を識別情報として利用できる可能性を示唆している。
【符号の説明】
【０１１４】
１      システム
１０      情報処理装置
１１      ＣＰＵ
１２      ＲＯＭ
１３      ＲＡＭ
１４      補助記憶装置
１５      入力装置
１６      表示装置
１７      外部Ｉ／Ｆ
２０      造形装置
２１      造形部
１０１      記憶部
１０２      受付部
１０３      生成部
１０４      出力制御部
【図１】
2020059278.tif 000003
【図２】
2020059278.tif 000004
【図３】
2020059278.tif 000005
【図４】
2020059278.tif 000006
【図５】
2020059278.tif 000007
【図６】
2020059278.tif 000008
【図７】
2020059278.tif 000009
【図８】
2020059278.tif 000010
【図９】
2020059278.tif 000011
【図１０】
2020059278.tif 000012
【図１１】
2020059278.tif 000013
【図１２】
2020059278.tif 000014
【図１３】
2020059278.tif 000015
【図１４】
2020059278.tif 000016
【図１５】
2020059278.tif 000017
【図１６】
2020059278.tif 000018
【図１７】
2020059278.tif 000019
【図１８】
2020059278.tif 000020